(57)【特許請求の範囲】
【請求項１】
光源部と、
前記光源部から出射される光を変調して画像を表示する光変調部と、
前記光源部から前記光変調部に出射される光量を調整する光量制御部と、
前記光変調部に表示させる画像を、交互に切り替わる第１期間及び第２期間のうち、前記第１期間で第１画像及び黒画像の順に更新し、前記第２期間で第２画像及び前記黒画像の順に更新する表示制御部と、
第１シャッターおよび第２シャッターを有するシャッター眼鏡を制御するシャッター制御部と、を備え、
前記シャッター制御部は、
前記第１期間において、前記第１シャッターが光を透過させる透過状態になり、前記第２シャッターが光を遮断する遮断状態になるように、前記シャッター眼鏡を制御し、
前記第２期間において、前記第１シャッターが前記遮断状態になり、前記第２シャッターが前記透過状態になるように、前記シャッター眼鏡を制御し、
前記シャッター制御部は、
前記第１期間および前記第２期間の切替時点において、前記第１シャッターおよび前記第２シャッターのうち一方のシャッターの前記透過状態への切替を開始させるとともに、
前記切替時点よりも早いタイミングで他方のシャッターの前記遮断状態への切替を開始させて、前記切替時点において前記遮断状態を完了させ、
前記光量制御部は、前記切替時点を跨ぐ所定の切替期間において、他の期間よりも前記光源部から出射される光量を増加させることを特徴とする画像表示装置。
【請求項２】
請求項１に記載の画像表示装置であって、
前記第１シャッターおよび前記第２シャッターが前記遮断状態において前記透過状態への切替を開始してから前記透過状態となるまでの透過移行期間に関する透過期間情報と、前記第１シャッターおよび前記第２シャッターが前記透過状態において前記遮断状態への切替を開始してから前記遮断状態となるまでの遮断移行期間に関する遮断期間情報と、を記憶する期間情報記憶部を備え、
前記光量制御部は、前記透過期間情報および遮断期間情報に基づいて、光量を増加させる前記切替期間を設定することを特徴とする画像表示装置。
【請求項３】
光源から出射される光を変調して画像を表示する画像表示装置と、第１シャッターおよび第２シャッターを有するシャッター眼鏡と、を含む画像表示システムであって、
前記画像表示装置は、
前記光源から出射される光量を調整する光量制御部と、
表示させる画像を、交互に切り替わる第１期間及び第２期間のうち、前記第１期間で第１画像及び黒画像の順に更新し、前記第２期間で第２画像及び前記黒画像の順に更新する表示制御部と、
前記シャッター眼鏡を制御するシャッター制御部と、を備え、
前記シャッター制御部は、
前記第１期間において、前記第１シャッターが光を透過させる透過状態になり、前記第２シャッターが光を遮断する遮断状態になるように、前記シャッター眼鏡を制御し、
前記第２期間において、前記第１シャッターが前記遮断状態になり、前記第２シャッターが前記透過状態になるように、前記シャッター眼鏡を制御し、
前記シャッター制御部は、
前記第１期間および前記第２期間の切替時点において、前記第１シャッターおよび前記第２シャッターのうち一方のシャッターの前記透過状態への切替を開始させるとともに、
前記切替時点よりも早いタイミングで他方のシャッターの前記遮断状態への切替を開始させて、前記切替時点において前記遮断状態を完了させ、
前記光量制御部は、前記切替時点を跨ぐ所定の切替期間において、他の期間よりも前記光源から出射される光量を増加させることを特徴とする画像表示システム。
【請求項４】
請求項３に記載の画像表示システムであって、
前記第１シャッターおよび前記第２シャッターが前記遮断状態において前記透過状態への切替を開始してから前記透過状態となるまでの透過移行期間に関する透過期間情報と、前記第１シャッターおよび前記第２シャッターが前記透過状態において前記遮断状態への切替を開始してから前記遮断状態となるまでの遮断移行期間に関する遮断期間情報と、を記憶する期間情報記憶部を備え、
前記光量制御部は、前記透過期間情報および前記遮断期間情報に基づいて、光量を増加させる前記切替期間を設定することを特徴とする画像表示システム。
【請求項５】
請求項４に記載の画像表示システムであって、
前記画像表示装置は、前記透過移行期間および前記遮断移行期間における前記第１シャッターおよび前記第２シャッターの透過率の経時変化に関する変化情報を記憶する変化情報記憶部を備え、
前記光量制御部は、前記切替期間において、前記変化情報に基づいて前記光源から出射される光量を調整することを特徴とする画像表示システム。
【発明の詳細な説明】
【技術分野】
【０００１】
本発明は、画像表示装置及び画像表示システムに関する。
【背景技術】
【０００２】
従来、画像を表示する画像表示装置と、観察者に装着されるシャッター眼鏡とを備え、当該シャッター眼鏡を通して画像表示装置にて表示された表示画像を立体視させる画像表示システム（立体映像表示装置）が知られている（例えば、特許文献１参照）。
【０００３】
図７は、従来の画像表示システムの動作を説明するための図である。
具体的に、図７（Ａ）は、画像表示装置の各走査線への画像データの書込タイミングを示すタイミングチャートであり、画像表示装置の縦方向（最上部の走査線Ｌ１〜最下部の走査線Ｌｎの各位置）を縦軸としている。また、図７（Ｂ）は、シャッター眼鏡を構成する左目用シャッター（図７（Ｂ）の下段）及び右目用シャッター（図７（Ｂ）の上段）における透過状態ＯＰ及び遮断状態ＣＬの切替タイミングを示すタイミングチャートである。さらに、図７（Ｃ）は、第２期間Ｔ２でシャッター眼鏡を通して視認される画像を示す図である。
【０００４】
なお、図７（Ａ）では、各走査線Ｌ１〜Ｌｎへの画像データの書込タイミングを模式的に示すために、走査線Ｌ１へ画像データの書き込みを開始する書込開始タイミング（更新開始タイミング）Ｗｓと、走査線Ｌｎへの画像データの書き込みを完了する書込完了タイミング（更新完了タイミング）Ｗｅとを直線で結んでいる。また、説明の便宜上、画像表示装置に表示される画像として、左目用画像及び右目用画像についてはそれぞれ「Ｌ」及び「Ｒ」の記号を付加し、黒画像については斜線で示している（各画像ともにそれぞれ平行四辺形の領域）。
【０００５】
特許文献１に記載の画像表示装置は、線順次駆動により画像を表示する液晶ディスプレイで構成されている。この液晶ディスプレイは、図７（Ａ）に示すように、垂直同期信号で指定される各垂直走査期間Ｔｖ１〜Ｔｖ４内で、最上部の走査線Ｌ１から最下部の走査線Ｌｎまで順次、画像データを書き込み、表示画像を更新する。そして、液晶ディスプレイは、表示画像を、交互に切り替わる第１期間Ｔ１（垂直走査期間Ｔｖ１，Ｔｖ２）及び第２期間Ｔ２（垂直走査期間Ｔｖ３，Ｔｖ４）のうち、第１期間Ｔ１で左目用画像及び黒画像の順に更新し、第２期間Ｔ２で右目用画像及び黒画像の順に更新する。
【０００６】
また、特許文献１に記載のシャッター眼鏡（左目用シャッター及び右目用シャッター）は、所謂液晶シャッターで構成されている。そして、シャッター眼鏡は、図７（Ｂ）に示すように、第１期間Ｔ１から第２期間Ｔ２の切替時点Ｐで、左目用シャッターが略全ての光を遮断する遮断状態ＣＬに切り替わり、右目用シャッターが略全ての光を透過させる透過状態ＯＰへの切替を開始する。また、シャッター眼鏡は、第２期間Ｔ２から第１期間Ｔ１の切替時点Ｐで、左目用シャッターが透過状態ＯＰへの切替を開始し、右目用シャッターが遮断状態ＣＬに切り替わる。
【０００７】
すなわち、左目用画像及び右目用画像の間に黒画像を挿入することで左目用画像及び右目用画像同士が重なる時間がなくなり、観察者は、第１期間Ｔ１では左目のみで表示画像（左目用画像及び黒画像）を視認する。また、観察者は、第２期間Ｔ２では右目のみで表示画像（右目用画像及び黒画像）を視認する。したがって、観察者は、視差により表示画像を立体視することとなる。
【先行技術文献】
【特許文献】
【０００８】
【特許文献１】特開２００９−２３２２４９号公報
【発明の概要】
【発明が解決しようとする課題】
【０００９】
ところで、左目用シャッター及び右目用シャッターは、液晶を利用したシャッターであるため、図７（Ｂ）に示すように、液晶の応答速度に起因し、透過状態ＯＰへの切替を開始してから透過状態ＯＰとなるまでの透過移行期間ＴＤ１が存在するものである。
同様に、遮断状態ＣＬへの切替を開始してから遮断状態ＣＬとなるまでの遮断移行期間ＴＤ２が存在するものである。
このため、例えば、第２期間Ｔ２において、当該第２期間Ｔ２の開始段階での透過移行期間ＴＤ１、及び終了段階での遮断移行期間ＴＤ２については、他の期間よりも右目用シャッターにおける光の透過率が少ないものとなる。
したがって、第２期間Ｔ２でシャッター眼鏡を通して視認される画像は、図７（Ｃ）に示すように、透過移行期間ＴＤ１及び遮断移行期間ＴＤ２に応じて、上方側及び下方側の各領域Ａｒ１，Ａｒ２の輝度が他の領域の輝度よりも少ないものとなる。すなわち、視認される画像に輝度ムラが生じてしまう、という問題がある。第１期間Ｔ１でシャッター眼鏡を通して視認される画像も同様である。
【００１０】
本発明の目的は、輝度ムラの抑制された画像を視認させることができる画像表示装置及び画像表示システムを提供することにある。
【課題を解決するための手段】
【００１１】
本発明の画像表示装置は、光源部と、前記光源部から出射される光を変調して画像を表示する光変調部と、前記光源部から前記光変調部に出射される光量を調整する光量制御部と、前記光変調部に表示させる画像を、交互に切り替わる第１期間及び第２期間のうち、前記第１期間で第１画像及び黒画像の順に更新し、前記第２期間で第２画像及び前記黒画像の順に更新する表示制御部とを備え、前記光量制御部は、前記第１期間及び前記第２期間の切替時点を跨ぐ所定の切替期間において、他の期間よりも前記光源部から出射される光量を増加させることを特徴とする。
【００１２】
本発明では、光量制御部は、第１期間及び第２期間の切替時点を跨ぐ所定の切替期間において、一時的に、他の期間よりも光源部から出射される光量（以下、光源光量）を増加させる。
このことにより、例えば、液晶シャッター眼鏡を通して観察者に表示画像を視認させる場合であっても、透過移行期間及び遮断移行期間に応じた液晶シャッター眼鏡の透過率の減少分を、光源光量の増加分で補うことができる。すなわち、液晶シャッター眼鏡を通して視認される画像において、上方側及び下方側の各領域の輝度を光源光量の増加により向上させることができ、輝度ムラを抑制できる。
【００１３】
本発明の画像表示システムは、光を透過させる透過状態、または光を遮断する遮断状態に切り替わるシャッター眼鏡と、上述した画像表示装置とを備えることを特徴とする。
本発明では、画像表示システムは、上述した画像表示装置を備えるので、上述した画像表示装置と同様の作用及び効果を享受できる。
【００１４】
本発明の画像表示システムでは、前記画像表示装置は、前記シャッター眼鏡が前記透過状態へ切替を開始してから前記透過状態となるまでの透過移行期間に関する透過期間情報、及び前記遮断状態へ切替を開始してから前記遮断状態となるまでの遮断移行期間に関する遮断期間情報を記憶する期間情報記憶部と、前記シャッター眼鏡の動作を制御するシャッター制御部とを備え、前記シャッター制御部は、前記切替時点で前記透過状態への切替を開始させるとともに、前記遮断期間情報に基づいて前記切替時点で前記遮断状態への切り替わりが完了しているように前記遮断状態への切替を開始させ、前記光量制御部は、前記切替期間を前記透過期間情報及び前記遮断期間情報に基づいて設定することが好ましい。
【００１５】
本発明では、光量制御部は、光源光量を増加させる切替期間を、期間情報記憶部に記憶された透過期間情報及び遮断期間情報に基づいて設定する。
このことにより、光量制御部は、透過移行期間及び遮断移行期間に応じてシャッター眼鏡の透過率が他の期間よりも減少する期間（切替期間）を適切に設定し、当該期間だけ、他の期間よりも光源光量を増加させることができる。
したがって、シャッター眼鏡を通して視認される画像の輝度ムラを適切に抑制できる。
【００１６】
本発明の画像表示システムでは、前記画像表示装置は、前記透過移行期間及び前記遮断移行期間における前記シャッター眼鏡の透過率の経時変化に関する変化情報を記憶する変化情報記憶部を備え、前記光量制御部は、前記切替期間において、前記変化情報に基づいて前記光源部から出射される光量を調整することが好ましい。
ところで、シャッター眼鏡の透過率は、透過移行期間や遮断移行期間において、一定ではなく、時間に応じて変化するものである。
本発明では、光量制御部は、切替期間において、変化情報記憶部に記憶された変化情報に基づいて光源光量を調整する。
このことにより、透過移行期間や遮断移行期間でのシャッター眼鏡の透過率の変化を、光源光量を調整することで相殺することができ、シャッター眼鏡を通して視認される画像の輝度ムラをより確実に抑制できる。
【図面の簡単な説明】
【００１７】
【図１】第１実施形態における画像表示システムの使用形態を示す斜視図。
【図２】第１実施形態における画像表示システムの構成を模式的に示すブロック図。
【図３】第１実施形態における液晶パネルの駆動方法を説明するための図。
【図４】第１実施形態における画像表示システムの動作を説明するための図。
【図５】第２実施形態における画像表示システムの構成を模式的に示すブロック図。
【図６】第２実施形態における変化情報を説明するための図。
【図７】従来の画像表示システムの動作を説明するための図。
【発明を実施するための形態】
【００１８】
[第１実施形態]
以下、本発明の第１実施形態を図面に基づいて説明する。
〔画像表示システムの構成〕
図１は、画像表示システム１の使用形態を示す斜視図である。
図２は、画像表示システム１の構成を模式的に示すブロック図である。
画像表示システム１は、反射型のスクリーンＳｃ（図１）上に投影画像を表示するとともに、観察者に投影画像を立体視させる。この画像表示システム１は、図１または図２に示すように、画像表示装置としてのプロジェクター２と、シャッター眼鏡３とを備える。
【００１９】
〔プロジェクターの構成〕
プロジェクター２は、画像情報（画像データ）に基づく画像を形成してスクリーンＳｃ上に投射する。このプロジェクター２は、図１または図２に示すように、外装を構成する外装筐体２Ａ（図１）と、外装筐体２Ａに収納される光学ユニット２Ｂ（図２）及び制御装置２Ｃ（図２）とを備える。
光学ユニット２Ｂは、具体的な図示は省略したが、放電発光型の光源ランプを備えた光源部２１（図２）と、光源部２１から出射された光を変調して画像を形成する光変調部としての液晶パネル２２（図２）、及び画像を投射する投射レンズ２３（図１）を有する。
【００２０】
制御装置２Ｃは、ＣＰＵ（Central Processing Unit）等を有し、液晶パネル２２やシャッター眼鏡３の動作を制御する。この制御装置２Ｃは、図２に示すように、画像ＲＯＭ(Read Only Memory)２４と、タイミングコントローラー２５と、表示制御部２６と、光量制御部２７と、期間情報記憶部としての第１メモリー２８Ａと、シャッター制御部としての送信部２９とを備える。
画像ＲＯＭ２４は、液晶パネル２２に形成させる画像データを記憶する。
ここで、画像データは、第１画像としての左目用画像に関する左目用画像データと、第２画像としての右目用画像に関する右目用画像データと、黒画像に関する黒画像データとで構成されている。また、これら各画像データは、１フレーム毎のデータの集まりによってそれぞれ構成されている。
タイミングコントローラー２５は、画像ＲＯＭ２４に記憶された画像データに含まれる同期信号（垂直同期信号、水平同期信号）を読み取って、表示制御部２６、光量制御部２７、及び送信部２９の同期をとる。
【００２１】
図３は、液晶パネル２２の駆動方法を説明するための模式図である。
表示制御部２６は、画像ＲＯＭ２４に記憶された画像データを適宜、読み出し、これら画像データに所定の処理を施した後、液晶パネル２２を線順次駆動させて、当該画像データに基づく画像を表示させる。
具体的に、表示制御部２６は、タイミングコントローラー２５から出力される同期信号に基づいて、図３に示すように、垂直走査期間内に、液晶パネル２２における最上部の走査線Ｌ（Ｌ１）から最下部の走査線Ｌ（Ｌｎ）まで順次、各画素に画像データを書き込み（階調に応じた電圧を印加）、液晶パネル２２に表示させる画像を更新する。そして、表示制御部２６は、次の垂直走査期間内では、上記同様の処理を行い、次の画像に更新する。
【００２２】
光量制御部２７は、タイミングコントローラー２５から出力される垂直同期信号、及び第１メモリー２８Ａに記憶された情報に基づいて、例えば、光源部２１に供給する電流量を調整することで、光源部２１から液晶パネル２２に出射される光量（以下、光源光量）を調整する。
第１メモリー２８Ａは、光量制御部２７にて光源光量を調整する期間に関する期間情報を記憶する。
なお、期間情報については、後述する。
【００２３】
送信部２９は、シャッター眼鏡３を構成する後述する左目用選択部３１及び右目用選択部３２を透過状態または遮断状態に切り替える旨の制御信号を送信する。また、送信部２９は、制御信号とともに、タイミングコントローラー２５から出力される垂直同期信号及び第１メモリー２８Ａに記憶された期間情報に基づいて、透過状態及び遮断状態の切替タイミングに関する信号を送信する。
本実施形態では、送信部２９は、具体的な図示は省略したが、赤外発光ＬＥＤ（Light Emitting Diode）、及び当該赤外発光ＬＥＤを発光させる駆動回路等を備え、上述した信号を、発光時間や発光パターンを変化させることで送信する。
【００２４】
〔シャッター眼鏡の構成〕
シャッター眼鏡３は、観察者が装着するものであり、図１または図２に示すように、左目用選択部３１と、右目用選択部３２と、受信部３３（図２）と、シャッター駆動部３４（図２）とを備える。
【００２５】
左目用選択部３１及び右目用選択部３２は、所謂液晶シャッターで構成され、ＯＮ信号の入力（電圧印加の状態）、ＯＦＦ信号の入力（電圧非印加の状態）で、略全ての光を遮断する遮断状態、略全ての光を透過させる透過状態にそれぞれ切り替わる。
なお、本実施形態では、左目用選択部３１及び右目用選択部３２は、上述したように、ＯＮ信号の入力で遮断状態、ＯＦＦ信号の入力で透過状態に切り替わるＴＮ(Twisted Nematic)液晶を用いている。
ここで、左目用選択部３１及び右目用選択部３２は、液晶の応答速度に起因し、ＯＦＦ信号が入力されてから（透過状態ＯＰ（図４参照）への切替を開始してから）、透過状態ＯＰとなるまでの透過移行期間ＴＤ１（図４参照）が存在するものである。
同様に、左目用選択部３１及び右目用選択部３２は、ＯＮ信号が入力されてから（遮断状態ＣＬ（図４参照）への切替を開始してから）、遮断状態ＣＬとなるまでの遮断移行期間ＴＤ２（図４参照）が存在するものである。
そして、プロジェクター２の上述した第１メモリー２８Ａは、透過移行期間ＴＤ１に関する透過期間情報、及び遮断移行期間ＴＤ２に関する遮断期間情報を記憶する。
【００２６】
受信部３３は、送信部２９から送信された信号を受信する。
本実施形態では、受信部３３は、具体的な図示は省略したが、赤外発光素子等を備え、送信部２９から出射された赤外光を受光して信号に変換し、シャッター駆動部３４に出力する。
シャッター駆動部３４は、受信部３３からの信号に基づいて、左目用選択部３１及び右目用選択部３２にＯＮ信号、ＯＦＦ信号を出力し、左目用選択部３１及び右目用選択部３２の透過状態及び遮断状態を切り替える。
【００２７】
〔画像表示システムの動作〕
図４は、画像表示システム１の動作を説明するための図である。
具体的に、図４（Ａ）及び図４（Ｂ）は、図７（Ａ）及び図７（Ｂ）と同様のタイミングチャートを示した図である。また、図４（Ｃ）は、光源光量を縦軸としたタイミングチャートである。
次に、上述した画像表示システム１の動作について、図４を参照して説明する。
なお、以下では、説明の便宜上、画像表示システム１の動作として、表示制御部２６の動作、シャッター眼鏡３の動作、及び光量制御部２７の動作を順に説明する。
【００２８】
〔表示制御部の動作〕
表示制御部２６は、図４（Ａ）に示すように、垂直走査期間Ｔｖ１〜Ｔｖ４（本実施形態では、１／２４０（秒））毎に、液晶パネル２２に表示させる画像を、左目用画像、黒画像、右目用画像、及び黒画像の順に更新する。言い換えれば、表示制御部２６は、液晶パネル２２に表示させる画像を、交互に切り替わる第１期間Ｔ１（垂直走査期間Ｔｖ１，Ｔｖ２）及び第２期間Ｔ２（垂直走査期間Ｔｖ３，Ｔｖ４）のうち、第１期間Ｔ１で左目用画像及び黒画像の順に更新し、第２期間Ｔ２で右目用画像及び黒画像の順に更新する。
具体的には、表示制御部２６は、タイミングコントローラー２５からの垂直同期信号の出力タイミングＶから所定期間（所謂、フロントポーチと呼ばれる期間）経過した書込開始タイミングＷｓで走査線Ｌ１への画像データの書き込みを開始し、順次、走査線Ｌｎまで画像データを書き込み、液晶パネル２２に表示させる画像を更新する。
【００２９】
また、送信部２９は、シャッター眼鏡３を制御するための制御信号とともに、以下のように設定した左目用選択部３１及び右目用選択部３２における透過状態ＯＰ及び遮断状態ＣＬの切替タイミングに関する信号を送信する。
先ず、送信部２９は、図４（Ｂ）下段に示すように、左目用選択部３１における透過状態ＯＰ及び遮断状態ＣＬの切替タイミングを以下に示すように設定する。
すなわち、送信部２９は、左目用画像に更新される垂直走査期間Ｔｖ１の開始時点（垂直同期信号の出力タイミングＶ）に合致したタイミングＳＬ１を透過状態ＯＰへの切替タイミングとする。
また、送信部２９は、右目用画像に更新される垂直走査期間Ｔｖ３の開始時点よりも第１メモリー２８Ａに記憶された遮断期間情報に基づく遮断移行期間ＴＤ２だけ早いタイミングＳＬ２を遮断状態ＣＬへの切替タイミングとする。
【００３０】
また、送信部２９は、図４（Ｂ）上段に示すように、右目用選択部３２における透過状態ＯＰ及び遮断状態ＣＬの切替タイミングを以下に示すように設定する。
すなわち、送信部２９は、右目用画像に更新される垂直走査期間Ｔｖ３の開始時点に合致したタイミングＳＲ１を透過状態ＯＰへの切替タイミングとする。
また、送信部２９は、左目用画像に更新される垂直走査期間Ｔｖ１の開始時点よりも第１メモリー２８Ａに記憶された遮断期間情報に基づく遮断移行期間ＴＤ２だけ早いタイミングＳＲ２を遮断状態ＣＬへの切替タイミングとする。
【００３１】
〔シャッター眼鏡の動作〕
シャッター駆動部３４は、受信部３３からの信号に基づいて、左目用選択部３１及び右目用選択部３２における透過状態ＯＰ及び遮断状態ＣＬの切替タイミングＳＬ１，ＳＲ１，ＳＬ２，ＳＲ２を認識する。
そして、シャッター駆動部３４は、図４（Ｂ）に示すように、切替タイミングＳＬ１，ＳＲ１で左目用選択部３１及び右目用選択部３２にそれぞれＯＦＦ信号を出力する。すなわち、左目用選択部３１及び右目用選択部３２は、切替タイミングＳＬ１，ＳＲ１でそれぞれ遮断状態ＣＬから透過状態ＯＰへと切替を開始する。
【００３２】
また、シャッター駆動部３４は、図４（Ｂ）に示すように、切替タイミングＳＬ２，ＳＲ２で左目用選択部３１及び右目用選択部３２にそれぞれＯＮ信号を出力する。すなわち、左目用選択部３１及び右目用選択部３２は、切替タイミングＳＬ２，ＳＲ２でそれぞれ透過状態ＯＰから遮断状態ＣＬへと切替を開始する。
そして、左目用選択部３１は、右目用画像に更新される垂直走査期間Ｔｖ３の開始時点よりも遮断移行期間ＴＤ２だけ早いタイミングＳＬ２で遮断状態ＣＬへの切替を開始するため、垂直走査期間Ｔｖ３の開始時点で遮断状態ＣＬに切り替わりが完了し遮断状態ＣＬになっていることとなる。
右目用選択部３２も同様に、左目用画像に更新される垂直走査期間Ｔｖ１の開始時点で遮断状態ＣＬに切り替わりが完了し遮断状態ＣＬになっていることとなる。
【００３３】
以上の動作により、第１期間Ｔ１内では、左目用選択部３１が透過状態ＯＰに切り替わり、右目用選択部３２が遮断状態ＣＬとなっているため、スクリーンＳｃ上の投影画像（左目用画像及び黒画像）は、観察者の左目のみで視認されることとなる。
また、第２期間Ｔ２内では、右目用選択部３２が透過状態ＯＰに切り替わり、左目用選択部３１が遮断状態ＣＬとなっているため、スクリーンＳｃ上の投影画像（右目用画像及び黒画像）は、観察者の右目のみで視認されることとなる。
このため、観察者は、スクリーンＳｃ上の投影画像を視差により立体視することとなる。
【００３４】
〔光量制御部の動作〕
光量制御部２７は、タイミングコントローラー２５から出力される垂直同期信号、及び第１メモリー２８Ａに記憶された期間情報に基づいて、光源光量を増加させる切替期間ＴＵ（図４（Ｃ））を設定する。
具体的に、光量制御部２７は、図４（Ｃ）に示すように、第１期間Ｔ１及び第２期間Ｔ２の切替時点Ｐよりも遮断期間情報に基づく遮断移行期間ＴＤ２だけ早いタイミングＯ１を、光源光量の増加を開始させる増加開始タイミングとする。
また、光量制御部２７は、切替時点Ｐよりも透過期間情報に基づく透過移行期間ＴＤ１だけ遅いタイミングＯ２を、光源光量の増加を完了する増加完了タイミングとする。
そして、光量制御部２７は、図４（Ｃ）に示すように、切替時点Ｐを跨ぐ増加開始タイミングＯ１から増加完了タイミングＯ２までの切替期間ＴＵにおいて、他の期間よりも光源光量を増加させる。
【００３５】
上述した第１実施形態によれば、以下の効果がある。
本実施形態では、光量制御部２７は、第１期間Ｔ１及び第２期間Ｔ２の切替時点を跨ぐ所定の切替期間ＴＵにおいて、一時的に、他の期間よりも光源光量を増加させる。
このことにより、シャッター眼鏡３を通して観察者に投影画像を立体視させる場合であっても、透過移行期間ＴＤ１及び遮断移行期間ＴＤ２に応じたシャッター眼鏡３の透過率の減少分を、光源光量の増加分で補うことができる。すなわち、シャッター眼鏡３を通して立体視される投影画像において、上方側及び下方側の各領域Ａｒ１，Ａｒ２（図７参照）の輝度を光源光量の増加により向上させることができ、輝度ムラを抑制できる。
【００３６】
また、光量制御部２７は、光源光量を増加させる切替期間ＴＵを、第１メモリー２８Ａに記憶された透過期間情報及び遮断期間情報に基づいて設定する。
このことにより、光量制御部２７は、透過移行期間ＴＤ１及び遮断移行期間ＴＤ２に応じてシャッター眼鏡３の透過率が他の期間よりも減少する期間（切替期間ＴＵ）を適切に設定し、当該期間ＴＵだけ、他の期間よりも光源光量を増加させることができる。
したがって、シャッター眼鏡３を通して立体視される投影画像の輝度ムラを適切に抑制できる。
【００３７】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図５は、第２実施形態における画像表示システム１の構成を模式的に示すブロック図である。
本実施形態では、前記第１実施形態に対して、図５に示すように、シャッター眼鏡３（左目用選択部３１及び右目用選択部３２）の透過率の経時変化に関する変化情報を記憶する変化情報記憶部としての第２メモリー２８Ｂを制御装置２Ｃに設けている。また、第２メモリー２８Ｂを設けたことに伴い、前記第１実施形態に対して、光量制御部２７の動作を変更している。
【００３８】
図６は、変化情報を説明するための図である。具体的に、図６（Ａ）は、透過移行期間ＴＤ１におけるシャッター眼鏡３の透過率の経時変化の一例を示す図である。図６（Ｂ）は、図６（Ａ）に対応させ、シャッター眼鏡３を透過する光量（以下、透過光量）を一定に維持するために必要とされる光源光量を示す図である。
なお、図６では、説明の便宜上、透過状態ＯＰでの透過率を１００％とし、切替期間ＴＵ以外の他の期間での光源光量を１００％としている。
すなわち、切替期間ＴＵ以外の他の期間で、かつ、シャッター眼鏡３が透過状態ＯＰでの透過光量（以下、基準透過光量）は、光源光量が１００％であり、透過率が１００％であることから、１００％である。
【００３９】
そして、透過移行期間ＴＤ１において、透過光量を基準透過光量（１００％）で一定にするためには、各時間での光源光量を当該各時間での透過率の逆数にそれぞれ設定する必要がある。
例えば、図６に示すように、「0.25ms」、「0.5ms」、及び「0.75ms」の各時間での透過率が「６０％」、「８０％」、「９５％」であれば、当該各時間での光源光量をそれらの逆数である「１６６％」、「１２５％」、「１０５％」にそれぞれ設定する必要がある。
そして、第２メモリー２８Ｂに記憶された変化情報は、透過移行期間ＴＤ１及び遮断移行期間ＴＤ２でのシャッター眼鏡３の透過率の経時変化に基づいて予め算出された情報である。
具体的には、透過移行期間ＴＤ１における変化情報は、透過状態ＯＰへの切替を開始してからの経過時間と、その経過時間での透過率の逆数（必要とされる光源光量）とが関連付けられた情報である。
また、遮断移行期間ＴＤ２における変化情報も同様に、遮断状態ＣＬへの切替を開始してからの経過時間と、その経過時間での透過率の逆数とが関連付けられた情報である。
【００４０】
そして、光量制御部２７は、切替期間ＴＵにおいて、遮断移行期間ＴＤ２における変化情報に基づいて、増加開始タイミングＯ１からの経過時間に応じて、当該経過時間に関連付けられた光源光量となるように光源部２１の動作を制御する。
また、光量制御部２７は、透過移行期間ＴＤ１における変化情報に基づいて、切替時点Ｐからの経過時間に応じて、当該経過時間に関連付けられた光源光量となるように光源部２１の動作を制御する。
【００４１】
上述した第２実施形態によれば、以下の効果がある。
本実施形態では、光量制御部２７は、切替期間ＴＵにおいて、第２メモリー２８Ｂに記憶された変化情報に基づいて光源光量を調整する。
このことにより、透過移行期間ＴＤ１や遮断移行期間ＴＤ２でのシャッター眼鏡３の透過率の変化を、光源光量を調整することで相殺することができ、シャッター眼鏡３を通して立体視される投影画像の輝度ムラをより確実に抑制できる。
【００４２】
なお、本発明は前述の実施形態に限定されるものではなく、本発明の目的を達成できる範囲での変形、改良等は本発明に含まれるものである。
前記各実施形態では、画像表示システム１は、第１画像及び第２画像をそれぞれ左目用画像及び右目用画像として表示画像を観察者に立体視させる構成としていたが、これに限らない。例えば、画像表示システムとして、第１画像及び第２画像をコンテンツの異なる画像とし、２つの表示画像（第１画像及び第２画像）を異なる観察者にそれぞれ視認させる構成を採用しても構わない。
このように構成した場合には、シャッター眼鏡３としては、左目用選択部３１を左右に設けた眼鏡、及び右目用選択部３２を左右に設けた眼鏡の２種類を設ければよい。
【００４３】
前記各実施形態では、シャッター眼鏡３（左目用選択部３１及び右目用選択部３２）は、所謂液晶シャッターで構成されていたが、これに限らない。シャッター眼鏡としては、透過状態ＯＰまたは遮断状態ＣＬに切り替わる構成であれば、例えば機械的に透過状態または遮断状態に切り替わる構成等、その他の構成を採用しても構わない。
前記各実施形態では、光量制御部２７は、例えば、光源部２１に供給する電流量を調整することで光源光量を調整する構成としていたが、これに限らない。例えば、光量制御部２７として、光源部２１と液晶パネル２２との間に配設され、光源部２１から液晶パネル２２に出射される光の一部を遮蔽する光学絞り装置の動作を制御し、光の遮蔽量を調整することで光源光量を調整する構成としても構わない。
【００４４】
前記各実施形態では、光源部２１として、放電発光型の光源ランプを採用していたが、これに限らず、レーザーダイオード、ＬＥＤ（Light Emitting Diode）、有機ＥＬ(Electro Luminescence)素子、シリコン発光素子等の各種固体発光素子を採用してもよい。
【００４５】
前記各実施形態では、画像表示装置として、フロント投射型のプロジェクター２を採用した例のみを挙げたが、本発明は、スクリーンを備え、当該スクリーンの裏面側から投射を行うリアタイプのプロジェクターを採用した構成としても構わない。
また、前記各実施形態では、画像表示装置として、プロジェクター２を採用していたが、これに限らず、液晶ディスプレイ、プラズマテレビ、有機ＥＬディスプレイ等を採用しても構わない。
【産業上の利用可能性】
【００４６】
本発明は、プロジェクター等の画像表示装置やシャッター眼鏡を用いて画像を立体視させる画像表示システムに利用できる。
【符号の説明】
【００４７】
１・・・画像表示システム、２・・・プロジェクター（画像表示装置）、３・・・シャッター眼鏡、２１・・・光源部、２２・・・液晶パネル（光変調部）、２６・・・表示制御部、２７・・・光量制御部、２８Ａ・・・第１メモリー（期間情報記憶部）、２８Ｂ・・・第２メモリー（変化情報記憶部）、２９・・・送信部（シャッター制御部）、ＣＬ・・・遮断状態、ＯＰ・・・透過状態、Ｐ・・・切替時点、Ｔ１・・・第１期間、Ｔ２・・・第２期間、ＴＤ１・・・透過移行期間、ＴＤ２・・・遮断移行期間、ＴＵ・・・切替期間。
【図１】
0005581932.tif 000002
【図２】
0005581932.tif 000003
【図３】
0005581932.tif 000004
【図４】
0005581932.tif 000005
【図５】
0005581932.tif 000006
【図６】
0005581932.tif 000007
【図７】
0005581932.tif 000008